(57)【要約】【課題】人体を検出した場合、記録してあるメッセージを再生する記録再生装置及びテレビジョン受像機を提供する。【解決手段】テレビジョン受像機１は、撮像部１７により被写体を撮像すると共に、マイクロフォン１６により被写体が発する音声を収集して映像音声信号を取得する。録画再生部１８は、映像音声信号を映像音声データに変換してメッセージとして記録部１９に記録する。テレビジョン受像機１は、検出部２０が人体を検出した場合、記録部１９に記録してある映像音声データを録画再生部１８により再生する。録画再生部１８により再生された映像が表示部１５に表示されると共に、音声がスピーカ１３から放音される。テレビジョン受像機１は、再生した映像音声データを記録部１９から削除する。【選択図】図２
2011024111.tif 000002
【特許請求の範囲】
【請求項１】
映像音声信号を記録する記録部を備え、前記映像音声信号を再生する記録再生装置において、
人体を検出する検出部と、
該検出部により人体を検出した場合、前記記録部に記録してある映像音声信号を再生する再生部と
を備えることを特徴とする記録再生装置。
【請求項２】
映像を撮像する撮像部と、
音声を収集するマイクロフォンと
を備え、
前記記録部は、前記撮像部により撮像した映像及び前記マイクロフォンにより収集した音声に基づく映像音声信号を記録するよう構成してある
ことを特徴とする請求項１に記載の記録再生装置。
【請求項３】
映像音声信号を受付ける受付部を備え、
前記記録部は、前記受付部により受付けた前記映像音声信号を記録するよう構成してある
ことを特徴とする請求項１又は請求項２に記載の記録再生装置。
【請求項４】
テレビジョン放送を受信して映像及び音声夫々を表示及び放音する表示部及びスピーカを備えたテレビジョン受像機において、
映像音声信号を記録する記録部と、
人体を検出する検出部と、
該検出部により人体を検出した場合、前記記録部に記録してある映像音声信号を再生する再生部と
を備え、
前記表示部及びスピーカ夫々は、前記再生部により再生して得た映像及び音声を表示及び放音するよう構成してある
ことを特徴とするテレビジョン受像機。
【請求項５】
映像を撮像する撮像部と、
音声を収集するマイクロフォンと
を備え、
前記記録部は、前記撮像部により撮像した映像及び前記マイクロフォンにより収集した音声に基づく映像音声信号を記録するよう構成してある
ことを特徴とする請求項４に記載のテレビジョン受像機。
【発明の詳細な説明】
【技術分野】
【０００１】
本発明は、人体を検出した場合、記録してあるメッセージを再生する記録再生装置及びテレビジョン受像機に関する。
【背景技術】
【０００２】
従来、メッセージを伝言として他人に伝える場合、音声を記録媒体に記録して再生する方法が用いられている。また、近年、音声のみならず画像を撮像して画像及び音声からなるメッセージを記録媒体に記録し、再生する方法が用いられてきている。例えば、特許文献１に記載のテレビジョン受像機は、静止画を録画すると共に音声を録音し、メッセージとして記録する。そして、再生操作を受付けた場合、記録してあるメッセージを再生するようにしてある。
【先行技術文献】
【特許文献】
【０００３】
【特許文献１】特開２００７−６２３３７号公報
【発明の概要】
【発明が解決しようとする課題】
【０００４】
しかしながら、特許文献１に記載されたテレビジョン受像機では、メッセージを伝えるべき相手がメッセージを再生するために再生操作を行う必要があり、煩わしさが生じていた。
【０００５】
本願は、斯かる事情に鑑みてなされたものである。その目的は、人体を検出する検出部を備えることにより、再生操作を必要とせずに映像音声からなるメッセージの再生が可能となる記録再生装置及びテレビジョン受像機を提供することにある。
【課題を解決するための手段】
【０００６】
本願に開示する記録再生装置は、映像音声信号を記録する記録部を備え、前記映像音声信号を再生する記録再生装置において、人体を検出する検出部と、該検出部により人体を検出した場合、前記記録部に記録してある映像音声信号を再生する再生部とを備えることを特徴とする。
【０００７】
本発明にあっては、人体を検出した場合、記録してある映像音声信号が再生される。
【発明の効果】
【０００８】
当該装置の一観点によれば、再生操作を必要とせずに映像音声からなるメッセージの再生が可能となる。
【図面の簡単な説明】
【０００９】
【図１】テレビジョン受像機を示す模式図である。
【図２】テレビジョン受像機の内部ハードウェアを示すブロック図である。
【図３】画面例を示す模式図である。
【図４】テレビジョン受像機及び記録再生装置の内部ハードウェアを示すブロック図である。
【発明を実施するための形態】
【００１０】
実施の形態１
以下、実施の形態を図面を参照して具体的に説明する。本願に係る記録再生装置は、映像音声からなるメッセージを記録し、人体を検出した場合に当該メッセージを再生する。例えば、メッセージを記録する記録部と、人体を検出する検出部と、メッセージを再生する再生部と、メッセージの映像を表示する表示部と、メッセージの音声を放音するスピーカとを備え、メッセージの記録再生機能を有する記録再生装置である。また、例えばメッセージの記録再生機能を有するＰＣ（ Personal Computer ）等の情報機器である。更に、例えば、メッセージの記録再生機能を有しており、テレビジョン放送を受像するテレビジョン受像機である。本実施の形態は、メッセージの記録再生機能を有するテレビジョン受像機を例に挙げて説明する。
【００１１】
図１は、テレビジョン受像機を示す模式図である。テレビジョン受像機１は、アンテナ３が接続されており、アンテナ３が受信したテレビジョン放送波から特定の放送チャンネルを選局し、選局した放送チャンネルで放送される番組の映像音声を表示及び放音する。テレビジョン受像機１は、映像を表示する液晶パネル等からなる表示部１５と、音声を放音する左右に配置されたスピーカ１３，１３とを備える。テレビジョン受像機１の上側には、音声を収集するマイクロフォン１６と、映像を撮像する撮像部１７と、人体を検出する検出部２０とを備える。
【００１２】
マイクロフォン１６は、テレビジョン受像機１の表示部１５側の所定範囲内の音声を収集すべく指向性を有する。また、マイクロフォン１６は、人声と異なる周波数帯域の音声、例えば背景ノイズ等を遮断するフィルタリング機能を有していてもよい。撮像部１７は、ＣＣＤ（ Charge Coupled Device ）及びＣＭＯＳ（Complementary Metal Oxide Semiconductor ）イメージセンサ等であり、オートフォーカス機能を有し、テレビジョン受像機１の表示部１５側を撮像するようにしてある。また、撮像部１７は、オートフォーカス機能を有する場合に限るものではなく、表示部１５から所定距離を離れた位置に焦点が予め設定された固定フォーカス型であってもよい。
【００１３】
マイクロフォン１６及び撮像部１７は、テレビジョン受像機１の表示部１５側近傍でメッセージの記録を行うユーザの映像音声を撮像及び収集し、映像音声信号として取得するようにしてある。検出部２０は、焦電型赤外センサ等であり、人体が発する赤外線を検出することにより、テレビジョン受像機１の表示部１５側近傍に位置する人体を検出するようにしてある。また、テレビジョン受像機１は、外部の携帯電話機７から通信波を受信して映像音声データを受信するデータ受信部２１と、遠隔操作装置４からの操作信号を受信する操作信号受信部２２とを備える。
【００１４】
テレビジョン受像機１は、遠隔操作装置４との間で赤外線を利用したＩｒＤＡ（ Infrared Data Association）規格に従う無線通信が可能に構成され、遠隔操作装置４によって遠隔から操作することができる。また、テレビジョン受像機１は、外部の携帯電話機７との間でＩｒＤＡ規格に従うデータの無線通信が可能に構成され、携帯電話機７から映像音声データを受信することができる。遠隔操作装置４は、メッセージキー、実行キー及び終了キー等の複数のキーを備え、キーの押下操作を示す操作信号をテレビジョン受像機１に送信するようにしてある。
【００１５】
携帯電話機７は、マイクロフォンが内蔵された撮像部（図示せず）を有しており、当該撮像部により撮像及び収集した映像音声を記録し、映像音声データとしてテレビジョン受像機１のデータ受信部２１に送信可能にしてある。テレビジョン受像機１は、マイクロフォン１６及び撮像部１７により映像音声信号を取得する代わりに、データ受信部２１により受信した映像音声データを取得可能にしてある。尚、テレビジョン受像機１と、遠隔操作装置４又は携帯電話機７とを、赤外線を利用した無線通信だけでなく、例えば、ＩＥＥＥ８０２．１規格に準拠した無線ＬＡＮ（ Local Area Network ）、及びＢｌｕｅｔｏｏｔｈ（登録商標）規格に従う無線通信等を介して接続してもよい。
【００１６】
図２は、テレビジョン受像機の内部ハードウェアを示すブロック図である。テレビジョン受像機１は、特定の放送チャンネルを選局するチューナ部１１と、選局した放送チャンネルの信号を処理して映像音声信号を取得する信号処理部１２と、映像音声信号に含まれる映像信号に操作画面等を示す他の映像信号を重畳するＯＳＤ（ On Screen Display ）部１４とを備える。信号処理部１２が取得した映像音声信号は、映像音声信号に含まれる映像信号がＯＳＤ部１４を介して表示部１５へ与えられて映像が表示されると共に、映像音声信号に含まれる音声信号がスピーカ１３，１３へ与えられて音声が放音される。
【００１７】
また、テレビジョン受像機１は、バス１０ａを介して接続されたハードウェア各部を制御するＭＰＵ（ Micro Processing Unit ）１０と、マイクロフォン１６及び撮像部１７が取得した映像音声信号を映像音声データに変換して記録部１９に記録する録画再生部１８とを備える。記録部１９は、ＨＤＤ（ Hard Disk Drive ）又はフラッシュメモリ等である。録画再生部１８は、データ受信部２１により映像音声データを受信した場合、当該映像音声データを記録部１９に記録するようにしてある。
【００１８】
また、録画再生部１８は、記録部１９に記録してある映像音声データを再生可能にしてあり、再生して得た映像音声信号を信号処理部１２に与えるようにしてある。信号処理部１２は、録画再生部１８から映像音声信号が与えられた場合、ＯＳＤ部１４を介して表示部１５に映像を表示すると共に、スピーカ１３，１３から音声を放音する。
【００１９】
ＭＰＵ１０は、遠隔操作装置４が備える電源キーの押下操作を示す操作信号を操作信号受信部２２により受信した場合、又は操作信号を受信していない期間が所定時間を超えた場合、検出部２０、操作信号受信部２２及び時計部２３にのみ電源の供給を継続し、その他のハードウェア各部への電源の供給を停止して、消費電力の少ない待機状態に移行する。また、ＭＰＵ１０は、待機状態で電源キーの押下操作を示す操作信号を操作信号受信部２２により受信した場合、全てのハードウェア各部へ電源を供給し、待機状態よりも消費電力の大きい通常状態に移行するようにしてある。次にテレビジョン受像機１がメッセージを記録する動作を説明する。
【００２０】
図３は、画面例を示す模式図である。図３Ａ及び図３Ｂ夫々は、メッセージの記録及び再生に関する画面例を示している。テレビジョン受像機１のＭＰＵ１０は、操作信号受信部２２によりメッセージキーの押下操作を示す操作信号を受信した場合、撮像部１７による撮像を開始する。また、ＭＰＵ１０は、操作信号受信部２２がメッセージキーの押下操作を示す操作信号を受信した際に番組の映像を表示部１５に表示している場合、当該番組の映像の表示を停止するようにしてある。テレビジョン受像機１は、撮像部１７により撮像された映像を録画再生部１８、信号処理部１２及びＯＳＤ部１４を介して表示部１５に表示する。
【００２１】
ＭＰＵ１０は、メッセージの記録に関する操作画面の映像信号をＯＳＤ部１４に与えて、撮像部１７により撮像されて得られた映像信号に重畳し、表示部１５に表示する。図３に示す例では、撮像部１７により撮像された人物の映像が画面に表示されており、メッセージの記録に関する画面であることを示すタイトル「メッセージ記録」がＯＳＤ表示されている。また、ＭＰＵ１０は、時計部２３が出力する日時情報と、操作方法を示す情報とを画面にＯＳＤ表示する。図３Ａに示す例では、日時情報として「２００９年７月３日（金）１３：３８」がＯＳＤ表示されている。
【００２２】
また図３Ａには、操作方法として、実行キー及び終了キー夫々が押下された場合、メッセージの記録開始及び記録終了が行われることを示す情報がＯＳＤ表示されている。ＭＰＵ１０は、操作信号受信部２２により実行キーの押下操作を示す操作信号を受信した場合、録画再生部１８により映像音声データを記録部１９に記録開始させる。ＭＰＵ１０は、操作信号受信部２２により終了キーの押下操作を示す操作信号を受信した場合、録画再生部１８による映像音声データの記録を停止させる。そして、ＭＰＵ１０は、時計部２３が出力する日時情報を取得してメッセージの記録日時として記録部１９に記録し、映像音声データの記録を完了する。また、ＭＰＵ１０は、表示部１５による番組の映像の表示を停止していた場合、映像の表示を再開させる。次にテレビジョン受像機１がメッセージを記録する動作の他の例を説明する。
【００２３】
テレビジョン受像機１は、遠隔操作装置４が備えるデータ受信キーの押下操作を示す操作信号を操作信号受信部２２により受信した場合、携帯電話機７を操作して映像音声データを送信する旨を促す操作画面を表示部１５にＯＳＤ表示する。テレビジョン受像機１は、操作画面に応じて送信されてきた映像音声データをデータ受信部２１により受信した場合、録画再生部１８により当該映像音声データを記録部１９に記録させる。そして、ＭＰＵ１０は、時計部２３が出力する日時情報を取得してメッセージの記録日時として記録部１９に記録し、映像音声データの記録を完了する。これにより、ユーザは、テレビジョン受像機１が備えるマイクロフォン１６及び撮像部１７を用いてメッセージを記録させる場合に限らず、携帯電話機７が備える撮像部を用いてメッセージを記録させることが可能となる。次にテレビジョン受像機１がメッセージを再生する動作を説明する。
【００２４】
ＭＰＵ１０は、記録部１９に映像音声データが記録されている状態で、検出部２０により人体を検出した場合、当該映像音声データを録画再生部１８に再生させ、信号処理部１２及びＯＳＤ部１４を介して表示部１５に映像を表示すると共に、スピーカ１３，１３から音声を放音する。また、ＭＰＵ１０は、待機モードに移行した状態で検出部２０により人体を検出した場合、通常状態に移行した後に、録画再生部１８に映像音声データを再生させるようにしてある。ＭＰＵ１０は、メッセージの再生に関する操作画面の映像信号をＯＳＤ部１４に与えて、録画再生部１８により再生される映像信号に重畳して表示部１５に表示する。
【００２５】
図３Ｂに示す例では、録画再生部１８により再生された映像が画面に表示されており、メッセージの再生に関する画面であることを示すタイトル「メッセージ再生」がＯＳＤ表示されている。また、ＭＰＵ１０は、記録部１９に記録されているメッセージの記録日時と、操作方法を示す情報とを画面にＯＳＤ表示する。図３Ｂに示す例では、メッセージの記録日時を報知すべく「このメッセージは、２００９年７月３日（金）１３：４０に記録されました。」がＯＳＤ表示されている。
【００２６】
図３Ｂには、操作方法として終了キー及び実行キー夫々を押下することにより、再生終了及び再生の繰り返し夫々が行われる旨がＯＳＤ表示されている。ＭＰＵ１０は、操作信号受信部２２が実行キーの押下操作を示す操作信号を受信した場合、録画再生部１８による再生を再度実行する。ＭＰＵ１０は、操作信号受信部２２が終了キーの押下操作を示す操作信号を受信した場合、録画再生部１８による再生を停止し、記録部１９に記録されている映像音声データを削除する。
【００２７】
ユーザがテレビジョン受像機１に伝えたいメッセージを記録させて外出した後に、家族内の別のユーザがテレビジョン受像機１の前に来た場合、別のユーザによる再生操作を必要とせずにメッセージが再生されて伝えられる。これにより、テレビジョン受像機１の操作に不慣れなユーザに対してもメッセージを伝えることが可能となる。また、テレビジョン受像機１の表示部１５が大型の表示面積を有する場合、テレビジョン受像機１は、各家庭の家族が集まる場所に設置されることが多い。これにより、メッセージを伝えるべき相手がテレビジョン受像機１の前に立つ機会が多くなる。
【００２８】
本実施の形態１では、検出部２０に焦電型赤外線センサを用いる場合を示したが、これに限るものではない。例えば、複数の焦電型赤外線センサが検出した赤外線強度に基づいて三角測量方法により人体までの距離を測定する測距センサを用いてもよい。この場合、測距センサが測定した人体までの距離が所定距離以下となった時点で記録部１９に記録してある映像音声データを再生するとよい。また、光を照射する発光素子と、照射した光の反射光量の変化を検出する受光素子とからなるセンサを検出部２０に用いてもよい。この場合、反射光量が所定範囲以上、変化した場合、テレビジョン受像機１の表示部１５側に新たに出現した人体として検出するとよい。
【００２９】
また、映像音声データを記録した後に当該映像音声データを再生して、ユーザにより記録したメッセージを確認するようにしてもよい。これにより、記録したメッセージがユーザの好みと異なる場合、メッセージの記録をやり直すことが可能となる。
【００３０】
検出部２０が人体を検出した場合、映像音声データを再生する場合を示したが、これに限るものではない。例えば、予め設定された時刻範囲内で検出部２０が人体を検出した場合に映像音声データを再生してもよい。これにより、例えば１６時〜１７時までの間に人体が検出された場合、テレビジョン受像機１が配置された各家庭の子供が学校から帰宅したと判定し、子供に対するメッセージとして記録した映像音声データを再生することが可能となる。また、例えば、２１時以降に人体が検出された場合、成人が職場から帰宅したと判定し、成人に対するメッセージとして記録した映像音声データを再生することが可能となる。
【００３１】
実施の形態２
図４は、テレビジョン受像機及び記録再生装置の内部ハードウェアを示すブロック図である。実施の形態２は、実施の形態１がテレビジョン受像機により映像音声信号を記録するのに対して、テレビジョン受像機に接続された記録再生装置により記録するようにしてある。記録再生装置は、外部から入力された映像音声信号を記録すると共に、記録した映像音声信号を再生して外部に出力するようにしてあり、例えばＨＤ（ Hard Disk ）、ＢＤ（ Blu-ray Disk、登録商標）及びＤＶＤ（ Digital Versatile Disk ）レコーダである。
【００３２】
テレビジョン受像機５は、映像音声入出力部５２を備えており、選局した番組の映像音声信号を映像音声入出力部５２を介して記録再生装置６に与えて記録可能にしてある。また、テレビジョン受像機５は、選局した放送チャンネルの信号を処理して映像音声信号を取得する信号処理部５１と、バス５０ａを介してハードウェア各部を制御するＭＰＵ５０とを備える。信号処理部５１は、映像音声入出力部５２により記録再生装置６から映像音声信号が与えられた場合、当該映像音声信号を取得するようにしてある。
【００３３】
テレビジョン受像機５は、外部の記録再生装置６が再生して出力する映像音声信号を映像音声入出力部５２により受け付けて、信号処理部５１を介して表示部１５及びスピーカ１３により表示及び放音可能にしてある。記録再生装置６は、撮像部１７と、マイクロフォン１６と、映像音声信号を映像音声データに変換して記録部１９に記録する録画再生部６１と、ＯＳＤ部１４と、検出部２０と、データ受信部２１と、操作信号受信部２２と、時計部２３とを備える。記録再生装置６は、テレビジョン受像機５が接続される映像音声入出力部６２と、バス６０ａを介してハードウェア各部を制御するＭＰＵ６０とを備える。
【００３４】
記録再生装置６のＭＰＵ６０は、操作信号受信部２２がメッセージキーの押下操作を示す操作信号を受信した場合、撮像部１７による撮像を開始する。また、ＭＰＵ６０は、録画再生部６１に撮像部１７により撮像して得た映像信号をＯＳＤ部１４に出力させ、ＯＳＤ部１４にメッセージの記録に関する操作画面を示す映像信号を重畳させる。操作画面が重畳された映像信号は、映像音声入出力部６２を介してテレビジョン受像機５に与えられる。ＭＰＵ６０は、操作信号受信部２２が実行キーの押下操作を示す操作信号を受信した場合、撮像部１７及びマイクロフォン１６が取得した映像音声信号を録画再生部６１により記録部１９に記録開始する。ＭＰＵ６０は、操作信号受信部２２が終了キーの押下操作を示す操作信号を受信した場合、録画再生部６１による映像音声信号の記録を停止させる。
【００３５】
ＭＰＵ６０は、遠隔操作装置４が備えるデータ受信キーの押下操作を操作信号受信部２２により受信した場合、携帯電話機７を操作して映像音声データを送信する旨を促す操作画面を示す映像信号をテレビジョン受像機５に与えて表示させる。ＭＰＵ６０は、操作画面に応じて送信されてきた映像音声データをデータ受信部２１により受信した場合、録画再生部６１により当該映像音声データを記録部１９に記録させる。そして、ＭＰＵ６０は、時計部２３が出力する日時情報を取得してメッセージの記録日時として記録部１９に記録し、映像音声データの記録を完了する。次にテレビジョン受像機５がメッセージを再生する動作を説明する。
【００３６】
ＭＰＵ６０は、記録部１９に映像音声データが記録されている状態で、検出部２０により人体を検出した場合、当該映像音声データを録画再生部６１に再生させる。ＭＰＵ６０は、メッセージの再生に関する操作画面をＯＳＤ部１４に与えて、録画再生部６１により再生される映像信号に重畳して映像音声入出力部６２からテレビジョン受像機５に出力する。ＭＰＵ６０は、操作信号受信部２２が実行キーの押下操作を示す操作信号を受信した場合、録画再生部６１による再生を再度実行する。ＭＰＵ６０は、操作信号受信部２２が終了キーの押下操作を示す操作信号を受信した場合、録画再生部６１による再生を停止し、記録部１９に記録されている映像音声データを削除する。
【００３７】
本実施の形態２は、記録再生装置６が撮像部１７及びマイクロフォン１６を備える場合を示したが、これに限るものではなく、テレビジョン受像機５が備えていてもよい。この場合、テレビジョン受像機５が備える撮像部１７及びマイクロフォン１６を用いて取得した映像音声信号を記録再生装置６に与えて録画再生部６１により記録部１９に記録する。また、記録再生装置６が検出部２０を備える場合を示したが、これに限るものではなくテレビジョン受像機５が備えていてもよい。この場合、テレビジョン受像機５が備える検出部２０により人体を検出した場合、記録再生装置６に検出信号を与え、記録再生装置６は、検出信号が与えられた場合、映像音声データを再生するとよい。
【００３８】
本実施の形態２は以上の如きであり、その他は実施の形態１と同様であるので対応する部分には同一の符号及び処理名を付してその詳細な説明を省略する。
【符号の説明】
【００３９】
１，５  テレビジョン受像機
３  アンテナ
４  遠隔操作装置
６  記録再生装置
７  携帯電話機
１０，５０，６０  ＭＰＵ
１０ａ，５０ａ，６０ａ  バス
１１  チューナ部
１２，５１  信号処理部
１３  スピーカ
１４  ＯＳＤ部
１５  表示部
１６  マイクロフォン
１７  撮像部
１８，６１  録画再生部
１９  記録部
２０  検出部
２１  データ受信部
２２  操作信号受信部
２３  時計部
５２，６２  映像音声入出力部
【図１】
2011024111.tif 000003
【図２】
2011024111.tif 000004
【図３】
2011024111.tif 000005
【図４】
2011024111.tif 000006